(57)【要約】      （修正有）【課題】電子装置のディスプレイ上に現れているコンテンツの制御を改良する。【解決手段】ディスプレイの相対的又は絶対的向きを測定するよう構成される１以上の位置センサを有し、検出した１以上のディスプレイの少なくとも１つの位置に基づき、前記１以上のディスプレイ上に表示されるコンテンツを生成する事により、電子装置の１以上のディスプレイを単に移動させることによって、電子装置の機能及び／又は表示ビューが直感的により良好に制御可能とする。【選択図】図２Ａ
2009301034.tif 000002
【特許請求の範囲】
【請求項１】
１以上のディスプレイの少なくとも１つの位置に基づき、前記１以上のディスプレイ上に表示されるコンテンツを生成するグラフィック処理ユニットを有する集積回路。
【請求項２】
前記１以上のディスプレイは、互いに対して回転可能に可動である第１ディスプレイと第２ディスプレイとを有し、
前記第１ディスプレイ上に表示される前記生成されたコンテンツを決定するため、前記第１ディスプレイと前記第２ディスプレイとの間の角度が規定される、請求項１記載の集積回路。
【請求項３】
前記グラフィック処理ユニットは、前記第１ディスプレイと前記第２ディスプレイとの間の角度に基づく視点における１以上のオブジェクトのグラフィカルコンテンツを生成する、請求項２記載の集積回路。
【請求項４】
前記１以上のディスプレイは、第１ディスプレイを有し、
前記第１ディスプレイとリファレンスとの間の角度が、前記第１ディスプレイに表示される前記生成されたコンテンツを決定する、請求項１記載の集積回路。
【請求項５】
前記グラフィック処理ユニットは、前記第１ディスプレイと前記リファレンスとの間の角度に基づく視点における１以上のオブジェクトのグラフィカルコンテンツを生成する、請求項４記載の集積回路。
【請求項６】
前記リファレンスは、地球に垂直な重力ベクトルである、請求項５記載の集積回路。
【請求項７】
前記グラフィック処理ユニットは、第１ディスプレイの位置に基づき、前記第１ディスプレイのアプリケーションビューオプションに対応するコンテンツを生成する、請求項１記載の集積回路。
【請求項８】
前記ビューオプションは、前記第１ディスプレイとリファレンスとの間の角度に基づく、請求項７記載の集積回路。
【請求項９】
前記リファレンスは、前記第１ディスプレイと回転可能に可動な電子装置の一部に対応する、請求項８記載の集積回路。
【請求項１０】
前記リファレンスは、磁界ベクトルである、請求項８記載の集積回路。
【請求項１１】
ディスプレイと、
前記ディスプレイの相対的又は絶対的向きを測定するよう構成される１以上の位置センサと、
を有する電子装置であって、
前記ディスプレイ上のコンテンツは、前記相対的又は絶対的向きに基づく電子装置。
【請求項１２】
前記１以上のセンサは、重力ベクトル又は他の慣性リファレンスフレームに対する第１ディスプレイの相対的向きを測定する加速度計を有する、請求項１１記載の装置。
【請求項１３】
前記１以上のセンサは、第１ディスプレイを含む第１部分と第２部分との間の角度のずれを測定するロータリーセンサを有する、請求項１１記載の装置。
【請求項１４】
前記第２部分は、第２ディスプレイを有する、請求項１３記載の装置。
【請求項１５】
前記第２ディスプレイは、アプリケーションの第１ビューを表示し、
前記第１ディスプレイは、前記第１部分と前記第２部分との間の角度に基づき、前記アプリケーションの複数の異なるビューの１つを表示する、請求項１４記載の装置。
【請求項１６】
当該電子装置と無線ネットワークとを接続するためのアンテナをさらに有する、請求項１１記載の装置。
【発明の詳細な説明】
【技術分野】
【０００１】
本発明は、一般に電子装置に関し、特に装置の１以上の特徴を制御するためのディスプレイ位置フィードバックを備えた電子装置に関する。
【背景技術】
【０００２】
従来、携帯電話、タブレットパーソナルコンピュータ（ＰＣ）、ラップトップＰＣなどのディスプレイを備えた電子装置は、ユーザが当該装置を制御することを可能にするため様々な方法を利用してきた。これらの方法は、キーパッド、いくつかのケースでは小型化されたキーパッド、タッチパッド、ジョイスティック、スタイリスト及びタッチ制御表示画面を含む。しかしながら、装置が小型化され、又はより複雑な又は高度なアプリケーションを実行するよう設計されるに従って、このような装置制御法は、特に当該制御のための利用可能な装置エリアが少なくなるに従って、少なくともいくつかのアプリケーションにより所望されるものより少なくなるかもしれない。このため、改良されたユーザによる制御法が所望される。
【発明の概要】
【発明が解決しようとする課題】
【０００３】
本発明の課題は、電子装置のディスプレイ上に現れているコンテンツの制御を改良することである。
【課題を解決するための手段】
【０００４】
このため、いくつかの実施例では、電子装置には、ディスプレイの各位置に関連する表示ビューが提供される。いくつかの実施例では、アプリケーションの異なる機能的態様が、電子装置の１以上のディスプレイの相対位置に基づき起動されるかもしれない。
【０００５】
上記課題を解決するため、本発明の一特徴は、１以上のディスプレイの少なくとも１つの位置に基づき、前記１以上のディスプレイ上に表示されるコンテンツを生成するグラフィック処理ユニットを有する集積回路に関する。
【発明の効果】
【０００６】
本発明によると、電子装置の１以上のディスプレイを単に移動させることによって、電子装置の機能及び／又は表示ビューが直感的により良好に制御可能となる。
【図面の簡単な説明】
【０００７】
【図１Ａ】図１Ａは、いくつかの実施例による第１ディスプレイを備えたノートブック計算装置を示す。
【図１Ｂ】図１Ｂは、いくつかの実施例による第１及び第２ディスプレイを備えたノートブック計算装置を示す。
【図１Ｃ】図１Ｃは、いくつかの実施例による第１ディスプレイを備えた電子計算装置を示す。
【図２Ａ】図２Ａは、いくつかの実施例による位置フィードバックを有する計算システムのブロック図である。
【図２Ｂ】図２Ｂは、いくつかの実施例による位置フィードバックを有するシステム・オン・チップ実現形態を備えた計算システムのブロック図である。
【図３】図３Ａ〜３Ｆは、いくつかの実施例によるビューを制御するディスプレイ位置フィードバックを用いた計算装置を示す。
【図４】図４Ａ〜４Ｆは、いくつかのさらなる実施例によるビューを制御するディスプレイ位置フィードバックを用いた計算装置を示す。
【発明を実施するための形態】
【０００８】
いくつかの実施例によると、電子装置には、装置の１以上のパーツの具体的な向きを検出し、それのユーザインタフェースとして使用する機能を提供する１以上の位置センサが設けられる。ここで用いられる電子装置とは、ノートブックコンピュータや携帯電話など、１以上のディスプレイと共に、タブレットやＧＰＳ（Ｇｌｏｂａｌ  Ｐｏｓｉｔｉｏｎｉｎｇ  Ｓｅｎｓｏｒ）ユニットなどを備えた任意の装置である。いくつかの実施例では、電子装置は、例えば、空間における重力ベクトルなどのリファレンス又は装置の他のパーツなどに関して、ディスプレイの相対的な回転位置を検出する。装置は、この情報を装置の何れかを制御するための入力として用いて、表示されるコンテンツのビューの点など、何れのコンテンツが表示されるか又はコンテンツの表示方法などを制御するかもしれない。
【０００９】
図１Ａ〜１Ｃは、いくつかの実施例によるディスプレイ上のビューなど、装置の向きを制御するための入力としてディスプレイ位置情報（フィードバック）を有する各電子装置を示す。図１Ａは、いわゆる“ノートブック”又は“ラップトップ”タイプのコンピュータを示す。それは、いわゆる見開き構成における軸Ａに関して互いに回転可能に接続される第１部分１０２と第２部分１１２とを有する。それはまた、第１部分１０２に第１ディスプレイ１０５を有する。図１Ｂは、第２部分１２２に第２ディスプレイ１１５を有する点を除いて、ノートブック１０１と同様のノートブック１２１を示す。本実施例では、ディスプレイの一方又は両方は、いわゆる“タッチ画面”であるか、又はキーパッドなどのユーザ入力機能を実現するためのタッチ画面部分を有する。図１Ｃは、情報を閲覧し、ユーザ入力を実行するためのディスプレイ１１５を備えた第１部分１３２から構成されるいわゆる“タブレット”コンピュータなどの装置である。
【００１０】
ディスプレイは、以下に限定するものでないが、液晶ディスプレイ（ＬＣＤ）、表面伝導型電子放出素子ディスプレイ（ＳＥＤ）、電界放出ディスプレイ（ＦＥＤ）、有機発光ダイオード（ＯＬＥＤ）ディスプレイなどを含む何れか適切なディスプレイタイプにより実現されてもよい。さらに、ディスプレイはまた、ディスプレイの１以上と共に、適切な抵抗又は容量グリッド検知などを介したタッチ制御機能を有してもよい。
【００１１】
電子装置はまた、装置上のディスプレイの相対的及び／又は絶対的位置を測定するための１以上の位置センサを有する。相対位置センサは、外部のリファレンス及び／又は装置の他のパーツに対するディスプレイの位置を測定し、絶対位置センサは、装置の地理的位置（グローバルポジショニングなどにより）を決定することが可能である。いくつかの実施例では、相対位置センサは、装置の他のパーツとディスプレイとの間の角度（装置１０１及び１２１における回転可能に接続された第１部分と第２部分との間の角度Ａなど）測定する１以上の角度又は回転ずれセンサを有する。他のセンサ（慣性センサ、加速度計、ジャイロスコープ、コンパス、レベルセンサなど）が、装置１３１により示されるように、重力ベクトルなどの外部リファレンスに対するディスプレイの相対的又は絶対的位置を測定するのに利用可能である。
【００１２】
１以上のセンサが、これらの機能を実行するのに適した何れかのセンサタイプにより実現されてもよい。装置の絶対位置及び方向を決定するためのセンサは、以下に限定されるものでないが、地球の表面上の装置の位置を決定するのに利用されるＧＰＳユニット、磁気的な北方向を検出する磁気コンパス、局所的な重力ベクトルの方向（下方方向など）を決定するのに利用される加速度計、人工的な水平線を生成し、この水平線に関する角度のずれを測定するティルトセンサ及び傾斜計、及び高度計を含む。いくつかの実施例では、慣性システム（ジャイロ、コンパス又は加速度計システム）が、加速度計と角速度センサ（ジャイロスコープ）の組み合わせを用いて、高さ、位置及び動きを検出するため実現されてもよい。それらはまた、高さ、位置、速度、温度又は磁界を検出可能であってもよい。
【００１３】
装置の相対的な動きを決定するセンサは、以下に限定されるものでないが、加速度計やジャイロスコープなどの慣性センサと、ヒンジエリアの近くに配設される角度センサ（ロータリー）とを含む。適切な角度センサは、１回転未満の角度のずれについて設計されたものなど、ポテンショメータ、リゾルバ、光エンコーダ、並びに各種磁気及び容量装置を含むロータリー位置センサを含むかもしれない。
【００１４】
図２Ａ及び２Ｂは、ここに記載される電子装置の少なくとも一部を実現するための一例となる計算システムを示す。図２Ａは、プロセッサ２０２、グラフィック／メモリコントローラ（ＧＭＣ）２０４、入出力コントローラ（ＩＯＣ）２１０、メモリ２０８、周辺装置２１１、１以上のディスプレイ２０６及び１以上の位置センサ２１２を有する計算システムの一部を示す。プロセッサ２０２は、１以上のディスプレイに表示されるコンテンツを生成する１以上のアプリケーションを実行するための１以上の処理コア（図示せず）を有する何れか適切なプロセッサにより実現されてもよい。プロセッサは独立したチップ及び／又はパッケージにより実現可能であり、又はＧＭＣ及び／又はＩＯＣなどの他のコンポーネントに共通するチップ又はパッケージの一部とすることが可能であることに留意されたい。
【００１５】
ＧＭＣ２０４は、メモリ及びグラフィック制御機能を実現する。それは、メモリ２０８に対するアクセスを制御するメモリコントローラと、プロセッサ２０２上で実行されるアプリケーションに基づき１以上のディスプレイ２０６のグラフィックコンテンツを生成するグラフィック処理ユニット（ＧＰＵ）２０５とを有する。ＩＯＣ２１０は、周辺装置２１１とシステムの残りとを制御可能に接続する。周辺装置は、ユーザインタフェース装置（キーパッド、スタイリストインタフェース、タッチ画面インタフェース、オーディオコンポーネントなど）と、無線インタフェースコンポーネント、ＵＳＢ（Ｕｎｉｖｅｒｓａｌ  Ｓｅｒｉａｌ  Ｂｕｓ）ポートなどのアクセスポートを含むネットワークインタフェース装置とを有する。位置センサは、上述されるような１以上の同一の又は異なる位置センサの何れかの組み合わせを有することが可能である。ＩＯＣは２１０は、１以上のディスプレイ２０６の少なくとも一部の相対位置に対する位置フィードバック情報を受け取る位置処理ユニット２１４を有する。一処理ユニット２１４は、情報を処理し、相対位置を決定し、それをグラフィック処理ユニット２０５に提供する。さらに、ＧＰＵ２０５は、相対位置に基づくグラフィックコンテンツを生成する。例えば、それは、実行するアプリケーションに基づき表示するコンテンツを有するが、相対位置に基づきコンテンツの与えられたビュー又は投影を表示する。コンテンツ及びビュー処理はＧＰＵ、プロセッサ又はＧＰＵとプロセッサとの組み合わせにおいて実行されてもよいことが理解されるべきである。
【００１６】
図２Ｂは、システム・オン・チップ（ＳＯＣ）構成により実現されるものなどの計算システムの実現形態を示す。計算システムは、図示されるような等価な機能ユニットと装置を有してもよいが、各機能ユニットと装置は同程度に実現されてもよいし、そうでなくてもよい。例えば、ＳＯＣ実現形態は、典型的には、完全な計算システムの実現形態より小さなフレキシビリティとパフォーマンス能力を有するであろう。ＳＯＣ実現形態は、特により特殊な装置（電話、システム手帳など）及びより安価な実現形態に適しているかもしれない。
【００１７】
図３Ａ〜３Ｆは、コンテンツの視点がディスプレイの相対位置により影響を受ける位置に基づくグラフィカルコンテンツの一例となる実現形態を示す。ここで、コンピュータは見開き構成を有するノートブックである。それは、ベース部分に対するディスプレイの角度など、２つのヒンジ部分の間の角度を検知するよう設けられた１以上の回転ずれセンサ（磁気角度ずれセンサなど）を有する。
【００１８】
本例では、シンプルなピラミッドが示される。ディスプレイが９０度の角度Ａにあるとき、ピラミッドの前側からの斜視図が表示される。例えば、角度が増加するに従って、ディスプレイが下方に動くとき、視点は、ビューがトップから、角度が１８０度となるときにピラミッド上を見下ろすまで、対応して変化する。このように、ユーザは、単に所望のビューに従ってディスプレイを移動させることによって、オブジェクトの斜視図を便利に回転することができる。この使用モデルは、限定することなく、ＣＡＤ（Ｃｏｍｐｕｔｅｒ  Ａｉｄｅｄ  Ｄｒａｗｉｎｇ）ツール及びマッピングアプリケーションを含む各種アプリケーションについて利用可能である。例えば、Ｇｏｏｇｌｅ  ＥａｒｔｈＴＭなどによるアプリケーションでは、複数のセンサを備えたポータブルウェブ装置などの装置において、装置ディスプレイは、ユーザが地球マップ（ＧＰＳ）上の何れにいるか閲覧し、ユーザが磁気的な北方向に関して画面を何れの方向に向けているか（コンパス／加速度計）閲覧し、ユーザ（装置）の位置、向き及び高さに対応するようＧｏｏｇｌｅ  ＥａｒｔｈＴＭの視点を制御するため、バーチャルなビューポートとして利用可能である。例えば、ユーザはディスプレイを持ち上げ、山や建物に向けることが可能である。センサは、装置のディスプレイ上に同じ山を表示するため、Ｇｏｏｇｌｅ  ＥａｒｔｈＴＭ表示を制御するのに必要な入力を提供可能である。装置のディスプレイが空間上で回転されるとき、Ｇｏｏｇｌｅ  ＥａｒｔｈＴＭの表示画像は、ユーザによる装置の向きにマッチするようリアルタイムに変化させることが可能である。装置のディスプレイが地上を指し示す場合、表示されるＧｏｏｇｌｅ  ＥａｒｔｈＴＭ画像は、デフォルトのマップビューとなりうる。
【００１９】
この例に追加して、互いに関して可動な複数のディスプレイを備えた装置について、各ディスプレイはそれの向きに従って独立に操作可能である。例えば、１つのディスプレイ表面が地面にパラレルである場合、マップビューが表示可能であり、他方のディスプレイは、地面に直交方向にある場合、水平方向のビューを表示することが可能である。マップビューの向きは、装置におけるコンパスにより検知されるなど、磁気的な北方向と平行に揃えられた“マップ北方向”を有するかもしれない。図１Ｃに示されるようなロール、ピッチ及びヨー軸に関する装置の動きは、センサの組み合わせにより検出可能であり、ユーザがカメラを通じて実際のビューを見ることを予想するように、表示されたＧｏｏｇｌｅ  ＥａｒｔｈＴＭ（バーチャル）ビューを調整するのに利用可能である。
【００２０】
図４Ａ〜４Ｆは、ディスプレイ位置ベースのディスプレイ制御のための他の利用モデルの一例を示す。本例では、第１ディスプレイと第２ディスプレイとを備えた装置が使用される。実行中のアプリケーションについて、ビューＡが第２ディスプレイ上に表示され、アプリケーションの異なるビューが第１ディスプレイ上に表示される。第１ディスプレイについて用いられるビューオプションは、第１ディスプレイの位置により示される。本例では、ディスプレイの角度が９０度からある範囲内であるとき、アプリケーションビューＢが示され、約１１０〜１６０度の範囲では、アプリケーションビューＣが示され、１６０〜１８０度の範囲では、アプリケーションビューＤが示される。従って、ディスプレイの角度は、実行中のアプリケーションにおけるオプションを選択するためのユーザインタフェース制御の一部として使用される。これが使用されるアプリケーションの具体例として、ＰｏｗｅｒＰｏｉｎｔＴＭ又は複数のビューオプションを備えた他の何れかのアプリケーションがあげられる。例えば、プレゼンテーションのすべてのスライドが、第２ディスプレイ上に同時に表示されながら、第１ディスプレイが、その位置に基づきスライドショーや選択されたスライド全体などの異なるビューオプションを表示することが可能である。このように、ユーザは、第１ディスプレイを単に回転など移動させることによって、ビューオプションを容易に制御することができる。
【００２１】
上記説明において、多数の具体的な詳細が与えられた。しかしながら、本発明の各実施例はこれらの具体的な詳細なしに実現可能であることが理解されるであろう。また、説明の理解を不明りょうにしないように、周知の回路、構成及び技術は詳細には示されていない。また、“一実施例”、“ある実施例”、“一例となる実施例”、“各実施例”などの表現は、開示される本発明の実施例が、特定の機能、構成又は特徴を含むが、必ずしもすべての実施例が当該機能、構成又は特徴を含むとは限らないことを示す。さらに、いくつかの実施例は、他の実施例について説明される特徴の一部又はすべてを有するかもしれず、又は何れも有しないかもしれない。
【００２２】
上記説明と以下の請求項において、以下の用語は次のように解釈されるべきである。“接続”及び“結合”という用語と、それらの派生語が利用されるかもしれない。これらの用語は、互いに同義的なものとして意図されていないことが理解されるべきである。特定の実施例では、“接続”とは、２以上の要素が互いに直接的な物理的又は電気的接触状態にあることを示すのに使用される。“結合”とは、２以上の要素が互いに協働又はやりとりするが、直接的な物理的又は電気的接触があってもよいし、そうでなくてもよいことを示すのに使用される。
【００２３】
本発明は、記載された実施例に限定されるものでなく、添付した請求項の趣旨及び範囲内の改良及び変更により実現可能である。例えば、本発明は、すべてのタイプの半導体集積回路（ＩＣ）チップと共に利用するのに適用可能であることが理解されるべきである。これらのＩＣチップの具体例として、以下に限定されるものでないが、プロセッサ、コントローラ、チップセットコンポーネント、ＰＬＡ（Ｐｒｏｇｒａｍｍａｂｌｅ  Ｌｏｇｉｃ  Ａｒｒａｙ）、メモリチップ、ネットワークチップなどがあげられる。
【００２４】
一部の図面では、信号導線は直線により表されていることが理解されるべきである。一部は、より多くの構成する信号パスを示すためより細く示され、構成する信号パスの番号を示すため番号ラベルを有し、主要な情報フロー方向を示すため１以上のエンドにおける矢印を有するかもしれない。しかしながら、これは、限定的に解釈されるべきでない。このような追加された詳細は、回路の容易な理解を実現するため、１以上の一例となる実施例に関連して利用されてもよい。追加的な情報を有しているか否かに関係なく、表示された信号ラインは、複数の方向に伝搬され、差動ペアにより実現されるデジタル若しくはアナログライン、光ファイバライン及び／又はシングルエンドラインなど、何れか適切な信号方式により実現される１以上の信号を有してもよい。
【００２５】
一例となるサイズ、モデル、値、範囲が与えられたが、本発明はこれに限定されるものでないことが理解されるべきである。製造技術（フォトリソグラフィなど）が経時的に進歩するに従って、より小さなサイズの装置が製造可能であることが予想される。さらに、本発明を不明りょうにすることを回避するため、また図示及び説明の簡単化のため、ＩＣチップ及び他のコンポーネントとの周知なパワー／グラウンド接続が図示されてもよいし、そうでなくてもよい。さらに、本発明を不明りょうにすることを回避するため、各構成はブロック図の形式により示されるが、このようなブロック図の構成の実現に関する詳細は、本発明が実現されるプラットフォームに大きく依存するという事実に関して、このような詳細は当業者の知識の範囲内であるべきである。本発明の実施例を説明するため、具体的な詳細（回路など）が与えられるが、本発明はこれら具体的な詳細なしに又はそれらの変形により実現可能であることが当業者に明らかであるべきである。従って、本記載は限定的でなく例示的なものとみなされるべきである。
【００２６】
以上、本発明の実施例について詳述したが、本発明は特定の実施形態に限定されるものではなく、特許請求の範囲に記載された本発明の要旨の範囲内において、種々の変形・変更が可能である。
【符号の説明】
【００２７】
１０５，１１５，２０６  ディスプレイ
２０２  プロセッサ
２０４  グラフィック／メモリコントローラ
２０５  グラフィック処理ユニット
２０８  メモリ
２１０  入出力コントローラ
２１１  周辺装置
２１２  位置センサ
【図１Ａ】
2009301034.tif 000003
【図１Ｂ】
2009301034.tif 000004
【図１Ｃ】
2009301034.tif 000005
【図２Ａ】
2009301034.tif 000006
【図２Ｂ】
2009301034.tif 000007
【図３】
2009301034.tif 000008
【図４】
2009301034.tif 000009